(57)【特許請求の範囲】
【請求項１】
端末が、自体の各受信アンテナについて、当該受信アンテナが下りセカンダリ同期チャンネルで受信したデータセカンダリ同期シーケンスを切り取り、切り取られたデータを当該受信アンテナのアンテナデータとし、前記アンテナデータにサンプリングを行って、サンプリングして得たデータを第１の時間領域データとし、自体に予め保存されていたデータセカンダリ同期シーケンスを時間領域セカンダリ同期シーケンスに変換し、各時間領域セカンダリ同期シーケンスについて、当該時間領域セカンダリ同期シーケンスにサンプリングを行って、サンプリングして得たデータを当該時間領域セカンダリ同期シーケンスの第２の時間領域データとするステップ１と、
端末が、各第２の時間領域データについて、当該第２の時間領域データそれぞれと各第１の時間領域データとに正規化演算を行って、時間領域相関シーケンスを得るステップ２と、
端末が、予め設定した合併方法に従って、得た時間領域相関シーケンスを合併し、時間領域データの位置番号が１セル識別子に対応する合併時間領域相関シーケンスを得、前記合併時間領域相関シーケンス中の予め設定した条件を満たすデータの位置番号に対応するセル識別子を確定するステップ３と、
端末が、当該セル識別子に対応するセルを端末所在セルの隣接セルとして確定するステップ４と、を含むＬＴＥシステムにおける端末による隣接セルの自動サーチ及び確定方法。
【請求項２】
前記端末が、自体の各受信アンテナについて、当該受信アンテナが下りセカンダリ同期チャンネルで受信したデータセカンダリ同期シーケンスを切り取り、切り取られたデータを当該受信アンテナのアンテナデータとすることは、
端末が、自体の各受信アンテナについて、当該受信アンテナが下りセカンダリ同期チャンネルの位置で受信した前記データセカンダリ同期シーケンスに時間領域上の切り取りを行って、切り取り後のデータを第１の切り取りデータとし；ローパスフィルタを用いて前記第１の切り取りデータに周波数領域上の切り取りを行って、切り取り後のデータを第２の切り取りデータとし；前記第２の切り取りデータから長さが予め設定したデータ長さである区間データを切り取って当該アンテナのアンテナデータとすることを含む請求項１に記載のＬＴＥシステムにおける端末による隣接セルの自動サーチ及び確定方法。
【請求項３】
式
【数１】
0005952397.tif 000030
（ここで、
【数２】
0005952397.tif 000031
は第２の時間領域データと第１の時間領域データとに正規化演算を行って得た時間領域相関シーケンスであり、１≦ｋ≦５０４で、且つ、ｋは整数であり、ｔは端末上の受信アンテナのシーケンス番号で、１≦ｔ≦Ｔで、且つｔは整数であり、Ｔは端末の受信アンテナ数で、ｒは第１の時間領域データで、Ｍは前記データ長さの値とサンプリングする際に用いられるサンプリング数との比で、Ｓｋは第２の時間領域データである。）に従って、正規化演算を行う請求項２に記載のＬＴＥシステムにおける端末による隣接セルの自動サーチ及び確定方法。
【請求項４】
前記端末が、予め設定した合併方法に従って、得た時間領域相関シーケンスを合併し、合併時間領域相関シーケンスを得ることは、
式
【数３】
0005952397.tif 000032
（ここで、１≦ｋ≦５０４で、且つ、ｋは整数であって、
【数４】
0005952397.tif 000033
は第２の時間領域データと第１の時間領域データとに正規化演算を行って得た時間領域相関シーケンスで、合併係数因子は
【数５】
0005952397.tif 000034
であって、ｔは端末上の受信アンテナのシーケンス番号で、１≦ｔ≦Ｔで、且つｔは整数であって、Ｔは端末の受信アンテナ数である。）に従って、時間領域相関シーケンスに加重合併を行って、合併時間領域相関シーケンスＲｋを得ることを含む請求項１に記載のＬＴＥシステムにおける端末による隣接セルの自動サーチ及び確定方法。
【請求項５】
前記合併時間領域相関シーケンス中の予め設定した条件を満たすデータは、
数値が隣接セル判定閾値を越え、且つ位置番号が端末所在セルの識別子と一致しないデータであって、
隣接セル判定閾値は係数αと端末所在セル相関係数とを掛け算した積で、ここで、係数αは０より大きく１より小さいデータであって、端末所在セル相関係数は合併時間領域相関シーケンス中の時間領域データで、当該時間領域データの位置番号に対応するセル識別子は端末所在セルのセル識別子である請求項１に記載のＬＴＥシステムにおける端末による隣接セルの自動サーチ及び確定方法。
【請求項６】
端末は、前記合併時間領域相関シーケンス中の予め設定した条件を満たすデータの位置番号に対応するセル識別子に対応するセルを端末所在セルの隣接セルとして確定し、当該セル識別子を隣接セル識別子リストに追加するか、又は、
アンテナが異なる時刻で受信したデータに対し、ステップ１〜ステップ４をＬ回重複し、Ｌ回重複して出現したセル識別子に対応する隣接セルを端末所在セルの隣接セルとして確定し、Ｌ回重複して出現したセル識別子を隣接セル識別子リストに追加する請求項１に記載のＬＴＥシステムにおける端末による隣接セルの自動サーチ及び確定方法。
【請求項７】
端末の各受信アンテナについて、当該受信アンテナが下りセカンダリ同期チャンネルで受信したデータセカンダリ同期シーケンスを切り取り、切り取られたデータを受信アンテナのアンテナデータとし、前記アンテナデータにサンプリングを行って、サンプリングして得たデータを第１の時間領域データとする切り取りモジュールと、
端末に予め保存されていたデータセカンダリ同期シーケンスを時間領域セカンダリ同期シーケンスに変換する変換モジュールと、
各時間領域セカンダリ同期シーケンスについて、当該時間領域セカンダリ同期シーケンスにサンプリングを行って、サンプリングして得たデータを当該時間領域セカンダリ同期シーケンスの第２の時間領域データとするサンプリングモジュールと、
各第２の時間領域データについて、当該第２の時間領域データそれぞれと各第１の時間領域データとに正規化演算を行って、時間領域相関シーケンスを得る演算モジュールと、
予め設定した合併方法に従って、得た時間領域相関シーケンスを合併し、時間領域データの位置番号が１セル識別子に対応する合併時間領域相関シーケンスを得る合併モジュールと、
前記合併時間領域相関シーケンス中の予め設定した条件を満たす時間領域データの位置番号に対応するセル識別子を確定する識別子確定モジュールと、
当該セル識別子に対応するセルを端末所在セルの隣接セルとして確定する確定モジュールと、を含む端末。
【請求項８】
前記切り取りモジュールは、
端末の各受信アンテナについて、当該受信アンテナが下りセカンダリ同期チャンネルの位置で受信した前記データセカンダリ同期シーケンスに時間領域上の切り取りを行って、切り取り後のデータを第１の切り取りデータとする第１の切り取りモジュールと、
前記第１の切り取りデータに周波数領域上の切り取りを行って、切り取り後のデータを第２の切り取りデータとする第２の切り取りモジュールと、
前記第２の切り取りデータから長さが予め設定したデータ長さである区間データを切り取って当該アンテナのアンテナデータとする第三の切り取りモジュールと、を含む請求項７に記載の端末。
【請求項９】
前記演算モジュールは、式
【数６】
0005952397.tif 000035
（ここで、１≦ｋ≦５０４で、且つ、ｋは整数であって、ｔは端末上の受信アンテナのシーケンス番号で、１≦ｔ≦Ｔで、且つ、ｔは整数であって、Ｔは端末の受信アンテナ数で、ｒは第１の時間領域データで、Ｍは前記データ長さの値とサンプリングする際に用いられるサンプリング数との比で、Ｓｋは第２の時間領域データである。）に従って、各第２の時間領域データについて、当該第２の時間領域データそれぞれと各第１の時間領域データとに正規化演算を行って、時間領域相関シーケンス
【数７】
0005952397.tif 000036
を得る請求項７に記載の端末。
【請求項１０】
前記合併モジュールは、式
【数８】
0005952397.tif 000037
（ここで、１≦ｋ≦５０４で、且つｋは整数であって、
【数９】
0005952397.tif 000038
は第２の時間領域データと第１の時間領域データとに正規化演算を行って得た時間領域相関シーケンスで、合併係数因子は
【数１０】
0005952397.tif 000039
であって、ｔは端末上の受信アンテナのシーケンス番号で、１≦ｔ≦Ｔで、且つｔは整数であって、Ｔは端末の受信アンテナ数である。）に従って、時間領域相関シーケンスに加重合併を行って、合併時間領域相関シーケンスＲｋを得る請求項７に記載の端末。
【請求項１１】
前記識別子確定モジュールは、前記合併時間領域相関シーケンス中の、数値が隣接セル判定閾値を越え、且つ位置番号が端末所在セルの識別子と一致しない時間領域データを確定し、
隣接セル判定閾値は係数αと端末所在セル相関係数とを掛け算した積で、ここで、係数αは０より大きく１より小さいデータで、端末所在セル相関係数は合併時間領域相関シーケンス中の時間領域データであって、当該時間領域データの位置番号に対応するセル識別子は端末所在セルのセル識別子である請求項７に記載の端末。
【請求項１２】
前記確定モジュールは、前記合併時間領域相関シーケンス中の予め設定した条件を満たすデータの位置番号に対応するセル識別子に対応するセルを端末所在セルの隣接セルとして確定し、当該セル識別子を隣接セル識別子リストに追加するか、又は、
アンテナが異なる時刻で受信したデータについて、隣接セルをサーチ又は確定する操作をＬ回重複した後、Ｌ回重複して出現したセル識別子に対応する隣接セルを端末所在セルの隣接セルとして確定し、Ｌ回重複して出現したセル識別子を隣接セル識別子リストに追加する請求項７に記載の端末。
【発明の詳細な説明】
【技術分野】
【０００１】
本発明は、通信技術分野に関し、具体的に、ＬＴＥシステムにおける端末による隣接セルの自動サーチ及び追加方法並びに端末に関する。
【背景技術】
【０００２】
第３世代移動通信システム（Ｔｈｉｒｄ−ｇｅｎｅｒａｔｉｏｎ  ｍｏｂｉｌｅ  ｓｙｓｔｅｍ、以下３Ｇと略称する）の持続的発展に伴って、長期進化型（Ｌｏｎｇ  Ｔｅｒｍ  Ｅｖｏｌｕｔｉｏｎ、以下、ＬＴＥと略称する）項目が第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、以下、３ＧＰＰと略称する）にて提出され、ユーザデータレートが高く、システム容量及びカバー率を増加でき、スペクトルリソースを合理的且つ柔軟に割り当てることができるなどのメリットを有することで、ＬＴＥは急速に発展されていて、現在、多くの事業者がＬＴＥシステムを企画しているか又は配置している。
【０００３】
ＬＴＥシステムにおいて、ネットワークが一層複雑化され、大量の無線パラメータ及びデータによってネットワークの最適化を行う人々の作業量が増加されているが、事業者は運営コスト及び人為的な干渉の低減を望んでいる。このような状況で、自己組織化ネットワーク（Ｓｅｌｆ  Ｏｒｇａｎｉｚａｔｉｏｎ  Ｎｅｔｗｏｒｋ、以下、ＳＯＮと略称する）の特性が３ＧＰＰの重要な研究方向になっている。ＳＯＮは、ＬＴＥネットワークの標準化段階において移動事業者により提出された概念で、無線ネットワークの自主的な機能を実現し、人為的な干渉を減少し、運営コストの低減を構想している。
【０００４】
ＳＯＮは主に、自動配置、自動最適化、自動修復の三つの機能を有する。ここで、自動最適化機能は、ユーザ機器（Ｕｓｅｒ  Ｅｑｕｉｐｍｅｎｔ、以下、ＵＥと略称する）と基地局の性能を測定し、測定結果に応じて無線配置パラメータを動的に調節し、人為的な作業量をできる限り減少し、ネットワークの性能を向上させることで、ＬＴＥ移動通信ネットワークの自動最適化を実現するものである。ＬＴＥプロトコル中の典型的な自動最適化例は、自動隣接関係（Ａｕｔｏｍａｔｉｃ  Ｎｅｉｇｈｂｏｒ  Ｒｅｌａｔｉｏｎ、以下、ＡＮＲと略称する）等の機能を含む。
【０００５】
ＡＮＲ機能は主に、隣接セル関係の自動検出、補充、追加、削除機能を言う。ＡＮＲは、ＳＯＮの一部の機能で、基地局中のＡＮＲモジュールはＵＥが基地局に提供した測定報知情報又はＸ２インターフェースを介して伝送した隣接セル情報によって、存在するセルの隣接セルを適応的に発現し、制御を受けて又は自動的に発現した隣接セルを隣接セル関係リストに追加する。ＡＮＲ機能は、基地局による自動的な発現及び隣接セル関係リストの完全性と有効性を維持し、コールのドロップを減少し、ハンドオーバーの成功率を向上させ、ネチケット及びネットワークの最適化へ投入する人力を減少し、運営コストを低減し、ネチケット工具を有力に補充することをその目的とする。
【０００６】
ＡＮＲ機能により基地局がシステム中のあるセルの隣接セルを動的に発現し、隣接セルを自動的に追加し、また、システムの性能指標に応じて、隣接セル関係の最適化を行うプロセスは主に、以下のステップを含む：
１、隣接セルの発現：ＵＥ側が測定してＵＥが位置するセルの隣接セル情報を取得し、当該隣接セル情報を基地局に報知する。
２、隣接セルの追加：基地局がＵＥから報知された関連する測定情報に基づいて、基地局及び上位層により隣接セル情報を追加するか否かを判定する。
３、隣接セルの最適化：既に存在するセルリストとネットワーク性能の関係を評価することによって、隣接セルリストの最適化及び削除を完成する。
既存技術において、ＵＥ側はただ基地局側に隣接セル情報を報知する操作のみを行い、隣接セルの追加及び隣接セルの最適化の操作はいずれも基地局側で完成するので、基地局側の作業量が大幅に増加されてしまう。
【発明の概要】
【発明が解決しようとする課題】
【０００７】
本発明は、関連技術において如何に端末側で隣接セルを自動サーチ及び確定するかの問題を解決できるＬＴＥシステムにおける端末による隣接セルの自動サーチ及び追加方法並びに端末を提供することを目的とする。
【課題を解決するための手段】
【０００８】
本発明の一態様によると、端末が、自体の各受信アンテナについて、当該受信アンテナが下りセカンダリ同期チャンネルで受信したデータセカンダリ同期シーケンスを切り取って、切り取られたデータを当該受信アンテナのアンテナデータとし、アンテナデータにサンプリングを行って、サンプリングして得たデータを第１の時間領域データとし、自体に予め保存されていたデータセカンダリ同期シーケンスを時間領域セカンダリ同期シーケンスに変換し、各時間領域セカンダリ同期シーケンスに対し、当該時間領域セカンダリ同期シーケンスにサンプリングを行って、サンプリングして得たデータを当該時間領域セカンダリ同期シーケンスの第２の時間領域データとするステップ１と、端末が、各第２の時間領域データについて、当該第２の時間領域データそれぞれと各第１の時間領域データとに正規化演算を行って、時間領域相関シーケンスを得るステップ２と、端末が、予め設定した合併方法に従って、得られた時間領域相関シーケンスを合併し、時間領域データの位置番号が１セル識別子に対応する合併時間領域相関シーケンスを得、合併時間領域相関シーケンス中の予め設定した条件を満たすデータの位置番号に対応するセル識別子を確定するステップ３と、端末が、当該セル識別子に対応するセルを端末所在セルの隣接セルとして確定するステップ４と、を含むＬＴＥシステムにおける端末による隣接セルの自動サーチ及び確定方法を提供する。
【０００９】
端末が、自体の各受信アンテナについて、当該受信アンテナが下りセカンダリ同期チャンネルで受信したデータセカンダリ同期シーケンスを切り取って、切り取られたデータを当該受信アンテナのアンテナデータとすることは、端末が、自体の各受信アンテナについて、当該受信アンテナが下りセカンダリ同期チャンネルの位置で受信したデータセカンダリ同期シーケンスに時間領域上の切り取りを行って、切り取り後のデータを第１の切り取りデータとし；ローパスフィルタを用いて第１の切り取りデータに周波数領域上の切り取りを行って、切り取り後のデータを第２の切り取りデータとし；第２の切り取りデータから長さが予め設定したデータ長さである区間データを切り取って当該アンテナのアンテナデータとすることを含むことが好ましい。
【００１０】
式
【数１】
0005952397.tif 000002
（ここで、
【数２】
0005952397.tif 000003
は第２の時間領域データと第１の時間領域データとに正規化演算を行って得た時間領域相関シーケンスであり、１≦ｋ≦５０４で、且つ、ｋは整数であり、ｔは端末上の受信アンテナのシーケンス番号で、１≦ｔ≦Ｔで、且つｔは整数であり、Ｔは端末の受信アンテナ数で、ｒは第１の時間領域データで、Ｍはデータ長さの値とサンプリングする際に用いられるサンプリング数との比で、Ｓｋは第２の時間領域データである。）に従って、正規化演算を行うことが好ましい。
【００１１】
端末が、予め設定した合併方法に従って、得た時間領域相関シーケンスを合併し、合併時間領域相関シーケンスを得ることは、
式
【数３】
0005952397.tif 000004
（ここで、１≦ｋ≦５０４で、且つ、ｋは整数であって、
【数４】
0005952397.tif 000005
は第２の時間領域データと第１の時間領域データとに正規化演算を行って得た時間領域相関シーケンスで、合併係数因子は
【数５】
0005952397.tif 000006
であって、ｔは端末上の受信アンテナのシーケンス番号で、１≦ｔ≦Ｔで、且つｔは整数であって、Ｔは端末の受信アンテナ数である。）に従って、時間領域相関シーケンスに加重合併を行って、合併時間領域相関シーケンスＲｋを得ることを含むことが好ましい。
【００１２】
合併時間領域相関シーケンス中の予め設定した条件を満たすデータは、数値が隣接セル判定閾値を越え、且つ位置番号が端末所在セルの識別子と一致しないデータであって、隣接セル判定閾値は係数αと端末所在セル相関係数とを掛け算した積で、ここで、係数αは０より大きく１より小さいデータであって、端末所在セル相関係数は合併時間領域相関シーケンス中の時間領域データで、当該時間領域データの位置番号に対応するセル識別子は端末所在セルのセル識別子であることが好ましい。
【００１３】
端末は、合併時間領域相関シーケンス中の予め設定した条件を満たすデータの位置番号に対応するセル識別子に対応するセルを端末所在セルの隣接セルとして確定し、当該セル識別子を隣接セル識別子リストに追加するか、又は、アンテナが異なる時刻で受信したデータに対し、ステップ１〜ステップ４をＬ回重複し、Ｌ回重複して出現したセル識別子に対応する隣接セルを端末所在セルの隣接セルとして確定し、Ｌ回重複して出現したセル識別子を隣接セル識別子リストに追加することが好ましい。
【００１４】
本発明の他の一態様によると、端末の各受信アンテナについて、当該受信アンテナが下りセカンダリ同期チャンネルで受信したデータセカンダリ同期シーケンスを切り取り、切り取られたデータを受信アンテナのアンテナデータとし、アンテナデータにサンプリングを行って、サンプリングして得たデータを第１の時間領域データとする切り取りモジュールと、端末に予め保存されていたデータセカンダリ同期シーケンスを時間領域セカンダリ同期シーケンスに変換する変換モジュールと、各時間領域セカンダリ同期シーケンスについて、当該時間領域セカンダリ同期シーケンスにサンプリングを行って、サンプリングして得たデータを当該時間領域セカンダリ同期シーケンスの第２の時間領域データとするサンプリングモジュールと、各第２の時間領域データについて、当該第２の時間領域データそれぞれと各第１の時間領域データとに正規化演算を行って、時間領域相関シーケンスを得る演算モジュールと、予め設定した合併方法に従って、得た時間領域相関シーケンスを合併し、時間領域データの位置番号が１セル識別子に対応する合併時間領域相関シーケンスを得る合併モジュールと、合併時間領域相関シーケンス中の予め設定した条件を満たす時間領域データの位置番号に対応するセル識別子を確定する識別子確定モジュールと、当該セル識別子に対応するセルを端末所在セルの隣接セルとして確定する確定モジュールと、を含む端末を提供する。
【００１５】
切り取りモジュールは、端末の各受信アンテナについて、当該受信アンテナが下りセカンダリ同期チャンネルの位置で受信したデータセカンダリ同期シーケンスに時間領域上の切り取りを行って、切り取り後のデータを第１の切り取りデータとする第１の切り取りモジュールと、第１の切り取りデータに周波数領域上の切り取りを行って、切り取り後のデータを第２の切り取りデータとする第２の切り取りモジュールと、第２の切り取りデータから長さが予め設定したデータ長さである区間データを切り取って当該アンテナのアンテナデータとする第三切り取りモジュールと、を含むことが好ましい。
【００１６】
演算モジュールは、式
【数６】
0005952397.tif 000007
（ここで、１≦ｋ≦５０４で、且つ、ｋは整数であって、ｔは端末上の受信アンテナのシーケンス番号で、１≦ｔ≦Ｔで、且つ、ｔは整数であって、Ｔは端末の受信アンテナ数で、ｒは第１の時間領域データで、Ｍはデータ長さの値とサンプリングする際に用いられるサンプリング数との比で、Ｓｋは第２の時間領域データである。）に従って、各第２の時間領域データについて、当該第２の時間領域データそれぞれと各第１の時間領域データとに正規化演算を行って、時間領域相関シーケンス
【数７】
0005952397.tif 000008
を得ることが好ましい。
【００１７】
合併モジュールは、式
【数８】
0005952397.tif 000009
（ここで、１≦ｋ≦５０４で、且つｋは整数であって、
【数９】
0005952397.tif 000010
は第２の時間領域データと第１の時間領域データとに正規化演算を行って得た時間領域相関シーケンスで、合併係数因子は
【数１０】
0005952397.tif 000011
であって、ｔは端末上の受信アンテナのシーケンス番号で、１≦ｔ≦Ｔで、且つｔは整数であって、Ｔは端末の受信アンテナ数である。）に従って、時間領域相関シーケンスに加重合併を行って、合併時間領域相関シーケンスＲｋを得ることが好ましい。
【００１８】
識別子確定モジュールは、合併時間領域相関シーケンス中の、数値が隣接セル判定閾値を越え、且つ位置番号が端末所在セルの識別子と一致しない時間領域データを確定し、隣接セル判定閾値は係数αと端末所在セル相関係数とを掛け算した積で、ここで、係数αは０より大きく１より小さいデータで、端末所在セル相関係数は合併時間領域相関シーケンス中の時間領域データであって、当該時間領域データの位置番号に対応するセル識別子は端末所在セルのセル識別子であることが好ましい。
【００１９】
確定モジュールは、合併時間領域相関シーケンス中の予め設定した条件を満たすデータの位置番号に対応するセル識別子に対応するセルを端末所在セルの隣接セルとして確定し、当該セル識別子を隣接セル識別子リストに追加するか、又は、アンテナが異なる時刻で受信したデータについて、隣接セルをサーチ又は確定する操作をＬ回重複した後、Ｌ回重複して出現したセル識別子に対応する隣接セルを端末所在セルの隣接セルとして確定し、Ｌ回重複して出現したセル識別子を隣接セル識別子リストに追加することが好ましい。
【発明の効果】
【００２０】
上述のように、本発明の実施例の方法によると、端末が自体の受信アンテナで取得したデータセカンダリ同期シーケンスから第１の時間領域データを切り取ってサンプリングし、同時に、自体に保存されていたデータセカンダリ同期シーケンスに変換及びサンプリングを行って第２のタイミングデータを得、第１の時間領域データと第２のタイミングデータに基づいて、時間領域相関シーケンスを取得し、前記時間領域相関シーケンスを合併し、合併時間領域相関シーケンスを得、そして、合併時間領域相関シーケンスからデータ値が隣接セル判定閾値を越える時間領域データを探し、当該時間領域データの位置番号が端末所在セルのセル識別子と一致しないと、当該セル識別子に対応するセルを端末所在セルの隣接セルとして確定する。本発明の実施例に係る方法によれば、端末側で隣接セルのサーチ及び隣接セルの確定作業を実現することができる。
【図面の簡単な説明】
【００２１】
【図１】図１は、本発明の実施例に係る端末による隣接セルの自動サーチ及び追加方法を示すフローチャートである。
【図２】図２は、ＬＴＥ規格中のフレーム構造タイプ２の構造を示す図である。
【図３】図３は、本発明の実施例に係る端末の構造を示す図である。
【図４】図４は、本発明の実施例に係る切り取りモジュールの構造を示す図である。
【発明を実施するための形態】
【００２２】
図１に示すように、本発明の実施例に係るＬＴＥシステムにおける端末による隣接セルの自動サーチ及び確定方法によると、端末が自体の受信アンテナで取得したデータセカンダリ同期シーケンスから第１の時間領域データを切り取ってサンプリングし、同時に、自体に保存されていたデータセカンダリ同期シーケンスに変換及びサンプリングを行って第２のタイミングデータを得、また、第１の時間領域データと第２のタイミングデータに基づいて、時間領域相関シーケンスを取得し、前記時間領域相関シーケンスを合併して合併時間領域相関シーケンスを得、そして、合併時間領域相関シーケンスから時間領域データのデータ値が隣接セル判定閾値を越える時間領域データを探し、当該時間領域データの位置番号が端末所在セルのセル識別子と一致しないと、当該セル識別子に対応するセルを端末所在セルの隣接セルとして確定する。具体的には以下のとおりである。
【００２３】
端末は、自体の各受信アンテナについて、当該受信アンテナが下りセカンダリ同期チャンネルで受信したデータセカンダリ同期シーケンスを切り取り、切り取られたデータを当該受信アンテナのアンテナデータとし、前記アンテナデータにサンプリングを行って、サンプリングして得られたデータを第１の時間領域データとし、自体に予め保存されていたデータセカンダリ同期シーケンスを時間領域セカンダリ同期シーケンスに変換し、各時間領域セカンダリ同期シーケンスについて、当該時間領域セカンダリ同期シーケンスにサンプリングを行って、サンプリングして得たデータを当該時間領域セカンダリ同期シーケンスの第２の時間領域データとする（ステップ１１）。
【００２４】
端末は、各第２の時間領域データについて、当該第２の時間領域データそれぞれと各第１の時間領域データとに正規化演算を行って、時間領域相関シーケンスを得る（ステップ１２）。
【００２５】
端末は、予め設定した合併方法に従って、取得した時間領域相関シーケンスを合併し、合併時間領域相関シーケンスを得、ここで、前記合併時間領域相関シーケンス中の時間領域データの位置番号はセル識別子に対応し、また、前記合併時間領域相関シーケンス中の予め設定した条件を満たすデータの位置番号に対応するセル識別子を確定する（ステップ１３）。
【００２６】
端末は、当該セル識別子に対応するセルを、端末所在セルの隣接セルとして確定する（ステップ１４）。
【００２７】
具体的に、ステップ１１において、端末が、自体の各受信アンテナについて、当該受信アンテナが下りセカンダリ同期チャンネルで受信したデータセカンダリ同期シーケンスを切り取り、切り取られたデータを当該受信アンテナのアンテナデータとする具体的な方法は、
端末が、自体の各受信アンテナについて、当該受信アンテナが下りセカンダリ同期チャンネルの位置で受信した前記データセカンダリ同期シーケンスに時間領域上の切り取りを行って、切り取り後のデータを第１の切り取りデータとし；ローパスフィルタを用いて前記第１の切り取りデータに周波数領域上の切り取りを行って、切り取り後のデータを第２の切り取りデータとし；前記第２の切り取りデータから長さが予め設定したデータ長さである区間データを切り取って当該アンテナのアンテナデータとする。
【００２８】
前記ローパスフィルタが切り取り周波数が１．０８ＭＨＺであるローパスフィルタであって、前記予め設定したデータ長さがシステムのバンド幅のバンド幅値とサイクリックプレフィックスＣＰの値との合計であって、アンテナデータ及び時間領域セカンダリ同期シーケンスにサンプリングを行う時に用いられるサンプリング数が１又は２又は４又は８又は１６であることが好ましい。
【００２９】
具体的に、ステップ１１において、以下の方法で端末が自体に予め保存されていたデータセカンダリ同期シーケンスを時間領域セカンダリ同期シーケンスに変換する：
端末が、前記データセカンダリ同期シーケンスにフーリエ変換を行って、変換後のデータセカンダリ同期シーケンス中の各データにいずれもサイクリックプレフィックスＣＰを追加して前記時間領域セカンダリ同期シーケンスを生成する。
【００３０】
具体的に、ステップ１２において、下式に従って正規化演算を行う：
【数１１】
0005952397.tif 000012
ここで、
【数１２】
0005952397.tif 000013
は第２の時間領域データと第１の時間領域データとに正規化演算を行って得た時間領域相関シーケンスであって、１≦ｋ≦５０４で、且つｋは整数であって、また、ｋは具体的に端末所在セルのＩＤ値に１を加算した値を取ることが好ましく、ｔは端末の受信アンテナのシーケンス番号で、１≦ｔ≦Ｔで、且つｔは整数であって、Ｔは端末の受信アンテナ数で、ｒは第１の時間領域データで、Ｍは前記データ長さの値とサンプリングする際に用いるサンプリング数との比で、Ｓｋは第２の時間領域データである。
【００３１】
具体的に、ステップ１３において、以下方法で、端末が予め設定した合併方法に従って取得した時間領域相関シーケンスを合併し、合併時間領域相関シーケンスを得る：
下式に従って時間領域相関シーケンスを加重合併し、合併時間領域相関シーケンスＲｋを得る。
【数１３】
0005952397.tif 000014
ここで、１≦ｋ≦５０４で、且つ、ｋは整数であって、また、ｋは具体的に端末所在セルのＩＤ値に１を加算した値を取ることが好ましく、
【数１４】
0005952397.tif 000015
は第２の時間領域データと第１の時間領域データとに正規化演算を行って得た時間領域相関シーケンスで、合併係数因子は
【数１５】
0005952397.tif 000016
であって、ｔは端末上の受信アンテナのシーケンス番号で、１≦ｔ≦Ｔで、且つ、ｔは整数であって、Ｔは端末の受信アンテナ数である。
【００３２】
利用可能な合併方法は、等利得合成及び最大比合成を含むがこれに限定されなく、等利得合成方法を利用する場合、合併係数因子
【数１６】
0005952397.tif 000017
で、最大比合成方法を利用する場合、合併係数因子は各端末の受信データの信号対雑音比のレベルと正比例をなすことが好ましい。
【００３３】
具体的に、ステップ１３において、合併時間領域相関シーケンス中の予め設定した条件を満たすデータを確定する具体的な方法は、
数値が隣接セル判定閾値を越え、且つ、位置番号が端末所在セルの識別子と一致しないデータを確定し、隣接セル判定閾値は係数αと端末所在セル相関係数とを掛け算した積であって、ここで、係数αは０より大きく１より小さいデータで、端末所在セル相関係数は合併時間領域相関シーケンス中のデータで、当該データの位置番号に対応するセル識別子は端末所在セルのセル識別子である。
【００３４】
具体的に、ステップ１４において、端末が、当該セル識別子に対応するセルを端末所在セルの隣接セルとして確定する方法は以下の２種類を含む：
第１種類：端末は、ステップ１３で取得したセル識別子に対応するセルを端末所在セルの隣接セルとして確定し、当該セル識別子を隣接セル識別子リストに追加する。
第２種類：アンテナが異なる時刻で受信したデータに対し、ステップ１１〜ステップ１４をＬ回重複し、Ｌ回重複して出現したセル識別子に対応する隣接セルを端末所在セルの隣接セルとし、Ｌ回重複して出現したセル識別子を隣接セル識別子リストに追加する。また、Ｌ＝３であることが好ましい。
【００３５】
ＬＴＥ規格に下り同期チャンネルがメイン同期チャンネルＰ−ＳＣＨとセカンダリ同期チャンネルＳ−ＳＣＨとを含むと規定され、当該２種類の信号中のフレーム構造タイプ２は図２に示す通りであって、ここで、２１は１無線フレームであって、１無線フレームは１０個のサブフレーム２５を含み、さらに、２つの同一のＰ−ＳＣＨ２２と、２つの異なるＳ−ＳＣＨであるＳ−ＳＣＨ２３とＳ−ＳＣＨ２４を含み、サブフレーム２５の番号は０から始まり、即ち、サブフレーム０、サブフレーム１・・・サブフレーム９であって、２つの同一のＰ−ＳＣＨ２２の時間領域位置はそれぞれ、サブフレーム１とサブフレーム６中の第３個のシンボルで、Ｓ−ＳＣＨ２３の時間領域位置はサブフレーム０の第６個のシンボルで、Ｓ−ＳＣＨ２４の時間領域位置はサブフレーム５中の第６個のシンボルである。
【００３６】
以下、具体的な実施例を説明する。
実施例１
本発明の実施例は、ＬＴＥシステムにおける端末による隣接セルの自動サーチ及び確定方法を提供し、当該方法において、端末側が隣接セルを自動サーチし、サーチされた隣接セルを端末所在セルの隣接セルとして確定し、当該方法によれば、基地局側の作業量を大幅に低減でき、具体的に以下のステップを含む。
端末は、自体の各受信アンテナについて、当該受信アンテナが下りセカンダリ同期チャンネルで受信したデータセカンダリ同期シーケンスを切り取り、切り取られたデータを当該受信アンテナのアンテナデータとし、前記アンテナデータにサンプリングを行って、サンプリングして得たデータを第１の時間領域データとし（ステップ１）、当該ステップの具体的な方法は以下のとおりである：
端末は、自体の各受信アンテナについて、当該受信アンテナが下りセカンダリ同期チャンネルの位置で受信した前記データセカンダリ同期シーケンスに時間領域上の切り取りを行って、切り取り後のデータを第１の切り取りデータとし、ローパスフィルタを用いて前記第１の切り取りデータに周波数領域上の切り取りを行って、切り取り後のデータを第２の切り取りデータとし、前記第２の切り取りデータから長さが予め設定したデータ長さである区間データを切り取って当該アンテナのアンテナデータとし、前記アンテナデータにサンプリングを行って、サンプリングして得たデータを第１の時間領域データとする。
【００３７】
具体的に、データセカンダリ同期シーケンスに時間領域上の切り取りを行う方法は、
前記セカンダリ同期シーケンスの直交波周波数分割多重ＯＦＤＭシンボル上のデータを切り取って第１の切り取りデータとする。
【００３８】
具体的に、ローパスフィルタを用いて前記第１の切り取りデータに周波数領域上の切り取りを行う方法は、
切り取り周波数が１．０８ＭＨＺであるローパスフィルタを用いて、第１の切り取りデータのシステムのバンド幅周波数領域上のデータを切り取り、切り取り後のデータを第２の切り取りデータとし、前記第２の切り取りデータから長さが予め設定したデータ長さＫである区間データを切り取って当該アンテナのアンテナデータとし、前記アンテナデータにサンプリングを行うことを含み、具体的なサンプリング方法は、予め設定した抽出間隔数であるサンプリング数Ｆをあけて抽出し、サンプリング後のデータを当該アンテナの第１の時間領域データとする。
具体的に、Ｆの値の範囲は［１、２、４、８、１６］中のいずれかの数値で、例えば、第１の時間領域データが｛１、２、３、４、５、６、７、８、９｝で、Ｆ＝２であると、抽出後の第１の時間領域データは｛３、６、９｝で、抽出後の第１の時間領域データ長さＭ＝Ｋ／Ｆである。
【００３９】
予め設定したデータ長さＫがシステムのバンド幅のバンド幅値ＢＷとサイクリックプレフィックスＣＰの値の合計で、例えば、ｎｏｒｍａｌＣＰ中のシステムのバンド幅のバンド幅値ＢＷ＝２０Ｍであると、Ｋ＝２０４８＋１４４で、ＢＷ＝１０Ｍであると、Ｋ＝１０２４＋７２で、ＢＷ＝５Ｍであると、Ｋ＝５１２＋３６である。
【００４０】
端末は、自体に予め保存されていた５０４個のデータセカンダリ同期シーケンスＳＳＳシーケンスに全てフーリエ変換を行って、変換後のデータセカンダリ同期シーケンス中の各データにいずれもＣＰを追加して時間領域セカンダリ同期シーケンスを生成し、生成した各時間領域セカンダリ同期シーケンスにサンプリングして、当該時間領域セカンダリ同期シーケンスの第２の時間領域データＳｋを得、１≦ｋ≦５０４で、且つｋは整数であって、また、ｋは具体的に端末所在セルのＩＤ値に１を加算した値を取ることが好ましく、且つＳｋシーケンスの番号とＳＳＳシーケンスの番号は逐一対応し、生成した時間領域セカンダリ同期シーケンスにサンプリングを行って、即ち、予め設定した抽出間隔数であるサンプリング数Ｆをあけて抽出し、抽出して得たデータを第２の時間領域データとする（ステップ２）。
【００４１】
端末は、各第２の時間領域データについて、当該第２の時間領域データそれぞれと、各第１の時間領域データとに正規化演算を行って、時間領域相関シーケンスを得て（ステップ３）、ここで、下式に従って正規化演算を行うことが好ましい。
【数１７】
0005952397.tif 000018
ここで、
【数１８】
0005952397.tif 000019
は第２の時間領域データと第１の時間領域データに正規化演算を行って得た時間領域相関シーケンスであって、１≦ｋ≦５０４で、且つ、ｋは整数であって、また、ｋは具体的に端末所在セルのＩＤ値に１を加算した値を取ることが好ましく、Ｓｋシーケンスの番号とＳＳＳシーケンスの番号は逐一対応し、ｔは端末の受信アンテナのシーケンス番号で、１≦ｔ≦Ｔで、且つ、ｔは整数であって、Ｔは端末の受信アンテナの数量で、ｒは第１の時間領域データで、Ｍは前記データ長さの値とサンプリングする際に用いるサンプリング数との比で、Ｓｋは第２の時間領域データである。
【００４２】
ステップ３で得た時間領域相関シーケンス
【数１９】
0005952397.tif 000020
を予め設定した合併方法、即ち、下式に従って加重合併し、合併時間領域相関シーケンスＲｋを得る（ステップ４）。
【数２０】
0005952397.tif 000021
ここで、ｋは端末所在セルのＩＤ値に１を加算した値で、且つ、１〜５０４の範囲内であって、Ｓｋシーケンスの番号とＳＳＳシーケンスの番号は逐一対応し、
【数２１】
0005952397.tif 000022
は第２の時間領域データと第１の時間領域データとに正規化演算を行って得た時間領域相関シーケンスで、合併係数因子は
【数２２】
0005952397.tif 000023
であって、ｔは端末の受信アンテナのシーケンス番号で、１≦ｔ≦Ｔで、ｔは整数であって、Ｔは端末の受信アンテナ数である。
【００４３】
本ステップにおいて、合併方法は等利得合成又は最大比合成を選択することができ、等利得合成方法を選択した場合、合併係数因子
【数２３】
0005952397.tif 000024
で、最大比合成方法を選択した場合、合併係数因子は各端末の受信データの信号対干渉雑音比のレベルと正比例をなす。
【００４４】
具体的に、前記合併時間領域相関シーケンス中の時間領域データの位置番号は１セル識別子に対応し、例えば、合併時間領域相関シーケンスは｛ｋ１，ｋ２，．．．．ｋｎ｝で、ここで、ｎは合併時間領域相関シーケンス中の時間領域データの総数であり、合併時間領域相関シーケンス中の時間領域データの位置番号はさまざまな方式で排列でき、例えば、１から排列し始まると、ｋ２の位置番号は２で、ｋ２に対応するセル識別子は２であって、また、セル識別子は複種類があって、ここで、セルのＩＤ値をセル識別子とすることが好ましく、この場合、当該セルのＩＤ値は２である。
【００４５】
従って、端末所在セルのＩＤ値ｋｃｅｌｌに基づいて、Ｒから位置番号値がｋｃｅｌｌ＋１である時間領域データを探して本セルの端末所在セル相関係数Ｒｋ-ｃｅｌｌとし、即ち、Ｒ中の時間領域データの位置番号がセルのＩＤ値であって、例えば、Ｒｋが｛ｋ１，ｋ２，ｋ３，ｋ４，ｋ６．．．．ｋ１８｝であると、Ｒｋ中の時間領域データｋ３のシーケンス番号は３で、ｋ４のシーケンス番号は４で、類似に推定でき、ｋｃｅｌｌが５であると、Ｒｋ-ｃｅｌｌはｋ６である。
【００４６】
前記合併時間領域相関シーケンス中の予め設定した条件を満たすデータの位置番号に対応するセル識別子を確定する（ステップ５）。
本ステップにおいて、合併時間領域相関シーケンス中の予め設定した条件を満たすデータは、
数値が隣接セル判定閾値を越え、且つ位置番号が端末所在セルの識別子に一致しないデータである。
隣接セル判定閾値ＲＴｈｒは係数αと端末所在セル相関係数とを掛け算した積で、即ち、ＲＴｈｒ＝αＲｋ-ｃｅｌｌで、ここで、係数αは０より大きく１より小さいデータであって、端末所在セル相関係数は合併時間領域相関シーケンス中の時間領域データで、当該時間領域データの位置番号に対応するセル識別子は端末所在セルのセル識別子であって、具体的に、αはシミュレーションによって得ることができ、ＲからＲｋ-ｃｅｌｌ以外の当該隣接セル判定閾値を越える他の時間領域データに対応する位置番号を探して１を減算すると、測定して得た隣接セルのＩＤ値、即ち、隣接セルのセル識別子である。
【００４７】
端末は、ステップ４で取得したセル識別子に対応するセルを端末所在セルの隣接セルとして確定する（ステップ６）。
【００４８】
ステップ６が以下の方法を含むことが好ましい：
端末が、ステップ５で取得したセル識別子に対応するセルを端末所在セルの隣接セルとして確定し、当該セル識別子を隣接セル識別子リストに追加する。
【００４９】
実施例２
本発明の実施例は、好適なＬＴＥシステムにおける端末による隣接セルの自動サーチ及び確定方法を提供し、当該方法は、端末側で隣接セルを複数回自動サーチし、複数回サーチした後、毎回出現するセル識別子、即ちセルのＩＤ値に対応するセルを端末所在セルの隣接セルとして確定する。当該方法によれば、基地局側の作業量を大幅に低減でき、具体的に以下のステップを含む。
端末は、異なる時刻で、ステップ１〜ステップ５をＬ回重複し、ステップ１〜ステップ５を１回行うたびに、合併時間領域相関シーケンス中の予め設定した条件を満たす時間領域データの位置番号に対応するセル識別子であるセルＩＤ値を隣接セル識別子リストに追加し、具体的には以下のとおりである。
Ｌ＝３である場合、第１回のサーチ後、隣接セル識別子リストは｛ｋ１，ｋ３，ｋ１２３，ｋ２３４，ｋ４５６｝を含み、第２回のサーチ後、隣接セル識別子リストは｛ｋ１，ｋ３，ｋ１２３，ｋ２３４，ｋ４５６｝と｛ｋ１，ｋ５，ｋ１２３，ｋ４５６｝を含み、第３回のサーチ後、隣接セル識別子リストは｛ｋ１，ｋ３，ｋ１２３，ｋ２３４，ｋ４５６｝、｛ｋ１，ｋ５，ｋ１２３，ｋ４５６｝、｛ｋ１，ｋ５，ｋ１８，ｋ２１３，ｋ１２３，ｋ５０４｝を含み、最終的に測定して得たＬ回重複して出現したセル識別子は｛ｋ１，ｋ１２３｝である。
【００５０】
端末は、Ｌ回重複して出現したセル識別子に対応する隣接セルを端末所在セルの隣接セルとして確定し、Ｌ回重複して出現したセル識別子を隣接セル識別子リストに追加し（ステップ６）、即ち、セル識別子がｋ１，ｋ１２３であるセルを端末所在セルの隣接セルとして確定し、そうすると得られた隣接セルＩＤは０と１２２である。
【００５１】
図３に示すように、本発明の実施例によると、
端末の各受信アンテナについて、当該受信アンテナが下りセカンダリ同期チャンネルで受信したデータセカンダリ同期シーケンスを切り取り、切り取られたデータを受信アンテナのアンテナデータとし、前記アンテナデータにサンプリングを行って、サンプリングして得たデータを第１の時間領域データとする切り取りモジュール３１と、
切り取りモジュール３１に接続され、端末に予め保存されていたデータセカンダリ同期シーケンスを時間領域セカンダリ同期シーケンスに変換する変換モジュール３２と、
変換モジュール３２に接続され、各時間領域セカンダリ同期シーケンスについて、当該時間領域セカンダリ同期シーケンスにサンプリングを行って、サンプリングして得たデータを当該時間領域セカンダリ同期シーケンスの第２の時間領域データとするサンプリングモジュール３３と、
サンプリングモジュール３３に接続され、各第２の時間領域データについて、当該第２の時間領域データそれぞれと各第１の時間領域データとに正規化演算を行って、時間領域相関シーケンスを得る演算モジュール３４と、
演算モジュール３４に接続され、予め設定した合併方法に従って、得た時間領域相関シーケンスを合併し、合併時間領域相関シーケンスを得る合併モジュール３５（ここで、前記合併時間領域相関シーケンス中の時間領域データの位置番号は一つのセル識別子に対応する。）と、
合併モジュール３５に接続され、前記合併時間領域相関シーケンス中の予め設定した条件を満たす時間領域データの位置番号に対応するセル識別子を確定する識別子確定モジュール３６と、
識別子確定モジュール３６に接続され、当該セル識別子に対応するセルを端末所在セルの隣接セルとして確定する確定モジュール３７と、を含む端末を提供する。
【００５２】
図４に示すように、前記切り取りモジュール３１は、
端末の各受信アンテナについて、当該受信アンテナが下りセカンダリ同期チャンネルの位置で受信した前記データセカンダリ同期シーケンスに時間領域上の切り取りを行って、切り取り後のデータを第１の切り取りデータとする第１の切り取りモジュール４１と、
第１の切り取りモジュール４１に接続され、前記第１の切り取りデータに周波数領域上の切り取りを行って、切り取り後のデータを第２の切り取りデータとする第２の切り取りモジュール４２と、
第２の切り取りモジュール４２に接続され、前記第２の切り取りデータから長さが予め設定したデータ長さである区間データを切り取って当該アンテナのアンテナデータとする第三切り取りモジュール４３と、
第３の切り取りモジュール４３に接続され、前記アンテナデータにサンプリングを行って、サンプリング後のデータを当該アンテナの第１の時間領域データとする第１のサンプリングモジュール４４と、を含む。
【００５３】
前記変換モジュール３２は、前記データセカンダリ同期シーケンスにフーリエ変換を行って、変換後のデータセカンダリ同期シーケンス中の各データにいずれもサイクリックプレフィックスＣＰを追加して前記時間領域セカンダリ同期シーケンスを生成する。
【００５４】
前記演算モジュール３４は、下式に従って、各第２の時間領域データについて、当該第２の時間領域データそれぞれと各第１の時間領域データとに正規化演算を行って、時間領域相関シーケンス
【数２４】
0005952397.tif 000025
を得る。
【数２５】
0005952397.tif 000026
ここで、１≦ｋ≦５０４で、且つ、ｋは整数であって、また、ｋは具体的に端末所在セルのＩＤ値に１を加算した値を取ることが好ましく、ｔは端末上の受信アンテナのシーケンス番号で、１≦ｔ≦Ｔで、且つ、ｔは整数であって、Ｔは端末の受信アンテナ数で、ｒは第１の時間領域データで、Ｍは前記データ長さの値とサンプリングする際に用いられるサンプリング数との比で、Ｓｋは第２の時間領域データである。
【００５５】
前記合併モジュール３５は、下式に従って、時間領域相関シーケンスに加重合併を行って、合併時間領域相関シーケンスＲｋを得る。
【数２６】
0005952397.tif 000027
ここで、１≦ｋ≦５０４で、且つ、ｋは整数であって、ｋは具体的に端末所在セルのＩＤ値に１を加算した値を取ることが好ましく、
【数２７】
0005952397.tif 000028
は第２の時間領域データと第１の時間領域データとに正規化演算を行って得た時間領域相関シーケンスで、合併係数因子は
【数２８】
0005952397.tif 000029
であって、ｔは端末上の受信アンテナのシーケンス番号で、１≦ｔ≦Ｔで、且つ、ｔは整数であって、Ｔは端末の受信アンテナ数である。
【００５６】
前記識別子確定モジュール３６は、前記合併時間領域相関シーケンス中の、数値が隣接セル判定閾値を越えて位置番号が端末所在セルの識別子と一致しない時間領域データを確定し、隣接セル判定閾値は係数αと端末所在セル相関係数とを掛け算した積であって、ここで、係数αは０より大きく１より小さいデータで、端末所在セル相関係数は合併時間領域相関シーケンス中の時間領域データで、当該時間領域データの位置番号に対応するセル識別子は端末所在セルのセル識別子である。
【００５７】
前記確定モジュール３７は、前記合併時間領域相関シーケンス中の予め設定した条件を満たすデータの位置番号に対応するセル識別子に対応するセルを端末所在セルの隣接セルとして確定し、当該セル識別子を隣接セル識別子リストに追加するか、又は、
アンテナが異なる時刻で受信したデータに対し、隣接セルをサーチ又は確定する操作をＬ回重複した後、Ｌ回重複して出現したセル識別子に対応する隣接セルを端末所在セルの隣接セルとして確定し、Ｌ回重複して出現したセル識別子を隣接セル識別子リストに追加する。
【００５８】
上述のように、本発明によると、以下のような効果を実現できる：
本発明の実施例に係る方法によれば、端末が自体の受信アンテナで取得したデータセカンダリ同期シーケンスから第１の時間領域データを切り取ってサンプリングし、同時に、自体に保存されていたデータセカンダリ同期シーケンスに変換及びサンプリングを行って第２のタイミングデータを得て、第１の時間領域データと第２のタイミングデータに基づいて、時間領域相関シーケンスを得、前記時間領域相関シーケンスを合併し、合併時間領域相関シーケンスを得、そして、合併時間領域相関シーケンスからデータ値が隣接セル判定閾値を越える時間領域データを探し、当該時間領域データの位置番号が端末所在セルのセル識別子と一致しないと、当該セル識別子に対応するセルを端末所在セルの隣接セルとして確定する。本発明の実施例に係る方法によれば、端末側で隣接セルのサーチ及び隣接セルの確定作業を実現することができる。
【００５９】
当業者にとって、本発明の実施例を方法、システム、又はコンピュータプログラム製品として提供できることは言うまでもない。従って、本発明を、完全なハードウエア実施例、完全なソフトウエア実施例、又はソフトウエアとハードウエアを結合した実施例の形態で実現することもできる。また、本発明は、一つ又は複数の、コンピュータ利用可能のプログラムコードを含むコンピュータ利用可能の記憶媒体（磁気ディスクメモリ、ＣＤ−ＲＯＭ、光学メモリ等を含むがこれに限定されることはない）で実施できるコンピュータプログラム製品の形態で実現できる。
【００６０】
本発明を、本発明の実施例に係る方法、機器（システム）、コンピュータプログラム製品のフローチャート及び／又はブロック図を参照して説明した。コンピュータプログラム命令でフローチャート及び／又はブロック図中の各プロセス及び／又は１ブロック、及びフローチャート及び／又はブロック図中のプロセス及び／又はブロックの結合を実現できることは言うまでもない。このようなコンピュータプログラム命令を汎用コンピュータ、専用コンピュータ、嵌込式処理機又は他のプログラマブルデータ処理機器のプロセッサに提供して、一つの機器を現せて、コンピュータ又は他のプログラマブルデータ処理機器のプロセッサが実行した命令によりフローチャート中の１プロセス又は複数のプロセス及び／又はブロック図中の１ブロック又は複数のブロックに指定された機能を実現できる装置を現せることができる。
【００６１】
このようなコンピュータプログラム命令を、コンピュータ又は他のプログラマブルデータ処理機器をガイドして特定の方式で動作させるコンピュータ読み取り可能なメモリに記憶することで、当該コンピュータ読み取り可能なメモリに記憶された命令により、フローチャート中の１プロセス又は複数のプロセス及び／又はブロック図中の１ブロック又は複数のブロックに指定の機能を実現できる命令装置を含む製品を現せることができる。
【００６２】
このようなコンピュータプログラム命令を、コンピュータ又は他のプログラマブルデータ処理機器にインストーラーし、コンピュータ又は他のプログラマブル機器で一連の操作ステップを実行することによって、コンピュータが実現する処理を発生し、コンピュータ又は他のプログラマブル機器で実行する命令により、フローチャート中の１プロセス又は複数のプロセス及び／又はブロック図中の１ブロック又は複数のブロックに指定の機能を実現するステップを提供できる。
【００６３】
以上、本発明の好適な実施例を説明したが、当業者であれば、基本的な創造性のある概念を把握すると、このような実施例に他の変更及び修正を行うことができる。好適な実施例及び本発明の範囲内の全ての変更及び修正はいずれも特許請求の範囲に含まれる。
【００６４】
当業者が本発明の思想及び範囲内でさまざまな改良及び変形を行うことができることは言うまでもない。本発明に対するこのような改良及び変形が本発明の特許請求の範囲及び同等な技術の範囲内であると、これらの改良及び変形は本発明に含まれる。
【図１】
0005952397.tif 000040
【図２】
0005952397.tif 000041
【図３】
0005952397.tif 000042
【図４】
0005952397.tif 000043